(57)【特許請求の範囲】
【請求項１】
バックライト装置と、そのバックライト装置の発光側の面の周縁部に互いに間隔をあけて設けられた複数の接合部材と、複数の前記接合部材を介して前記バックライト装置に接合された液晶表示パネルと、を有しており、前記発光側の面の周縁部の前記接合部材同士の間の部位に前記接合部材の厚みよりも厚みが薄いスペーサがあり、前記スペーサの上面と前記液晶表示パネルの下面との間に隙間がある液晶表示装置。
【請求項２】
前記スペーサは、それが位置している前記周縁部の縁に直交する方向の幅が前記接合部材の幅よりも大きい請求項１に記載の液晶表示装置。
【請求項３】
バックライト装置と、そのバックライト装置の発光側の面の周縁部に互いに間隔をあけて設けられた複数の接合部材と、複数の前記接合部材を介して前記バックライト装置に接合された液晶表示パネルと、を有しており、前記発光側の面の周縁部の前記接合部材同士の間の部位に前記接合部材の厚みよりも厚みが薄いスペーサがあり、前記スペーサは前記液晶表示パネル側の表面が粗面とされている液晶表示装置。
【請求項４】
バックライト装置と、そのバックライト装置の発光側の面の周縁部に互いに間隔をあけて設けられた複数の接合部材と、複数の前記接合部材を介して前記バックライト装置に接合された液晶表示パネルと、を有しており、前記発光側の面の周縁部の前記接合部材同士の間の部位に前記接合部材の厚みよりも厚みが薄いスペーサがあり、前記スペーサは前記液晶表示パネル側の表面が粘着性を有している液晶表示装置。
【請求項５】
バックライト装置と、そのバックライト装置の発光側の面の周縁部に互いに間隔をあけて設けられた複数の接合部材と、複数の前記接合部材を介して前記バックライト装置に接合された液晶表示パネルと、を有しており、前記発光側の面の周縁部の前記接合部材同士の間の部位に前記接合部材の厚みよりも厚みが薄いスペーサがあり、前記スペーサは、それが位置している前記周縁部の縁に直交する方向の幅が前記接合部材の幅よりも大きい液晶表示装置。
【請求項６】
バックライト装置と、そのバックライト装置の発光側の面の周縁部に互いに間隔をあけて設けられた複数の接合部材と、複数の前記接合部材を介して前記バックライト装置に接合された液晶表示パネルと、を有しており、前記発光側の面の周縁部の前記接合部材同士の間の部位に前記接合部材の厚みよりも厚みが薄いスペーサがあり、前記スペーサは、それが位置している前記周縁部の縁に平行な方向の長さが前記接合部材の長さよりも長い液晶表示装置。
【請求項７】
バックライト装置と、そのバックライト装置の発光側の面の周縁部に互いに間隔をあけて設けられた複数の接合部材と、複数の前記接合部材を介して前記バックライト装置に接合された液晶表示パネルと、を有しており、前記発光側の面の周縁部の前記接合部材同士の間の部位に前記接合部材の厚みよりも厚みが薄いスペーサがあり、前記スペーサは透光性を有している液晶表示装置。
【発明の詳細な説明】
【技術分野】
【０００１】
本発明は、バックライト装置を液晶表示パネルの面に接合して構成される液晶表示装置に関するものである。
【背景技術】
【０００２】
バックライト装置を液晶表示パネルのアレイ基板側の外面に接合して構成される液晶表示装置（Liquid  Crystal  Display  ：ＬＣＤ）の従来例の１例を図５に示す。図５に示すように、バックライト装置１４は、ＬＥＤ（Light  Emitting  Diode）等から成る発光素子等を有する、直方体状、矩形板状の面状光源であるバックライト本体部１２と、そのバックライト本体部１２の外周部を覆う、亜鉛メッキ鋼材、アルミニウム、ステンレススチール等の金属から成るフレーム１３と、を有している。フレーム１３は、側壁の下端部にかしめ爪部13bを有しており、そのかしめ爪部13bをバックライト本体部１２の側面に形成された凹部に折り込むことによって、バックライト本体部１２に固定される。また、フレーム１３は、上面の４つの隅部であって４つの角のそれぞれを成す２つの辺縁部に突起13aが形成されている。これらの突起13aに液晶表示パネル１１の側面を当接させることによって、バックライト装置１４の上面である発光側の面に液晶表示パネル１１の下面が接するようにして位置合わせし載置する。このとき、バックライト装置１４の上面の周縁、すなわちフレーム１３の上面の一部と、液晶表示パネル１１の下面の周縁の一部とを、両面粘着テープ、両面粘着フィルム等から成る接合部材によって接合していた。
【０００３】
図６（ａ），（ｂ）は、フレーム１３の上面の一部に接合部材１５，１６を設けた例を示す平面図である。（ａ）のバックライト装置14aは、矩形状のフレーム１３の上面の４隅部のそれぞれに、接合部材１５を設けた構成である。（ｂ）のバックライト装置14bは、矩形状のフレーム１３の枠状の上面の対向する２つの辺部のそれぞれに、長板状、短冊状の接合部材１６を設けた構成である。図６に示すように、接合部材１５，１６は、それらの接合力を保持しながら接合面の面積を極力小さくしている。それは、発熱するバックライト装置の形状が温度変化等に起因して撓む等し変化することによって、液晶表示パネル１１に局所的または全体的に応力が加わり、輝度むら、色むら、白抜け等の表示の劣化を招くことを抑える目的のためである。
【０００４】
このような表示の劣化は、ＩＰＳ（In-Plane  Switching）方式のＬＣＤ、ＦＦＳ（Fringe  Field  Switching）方式のＬＣＤ等の横電界（水平電界）を利用したＬＣＤにおいて、より顕著に発現する傾向がある。そして、従来のアクティブマトリクス型のＬＣＤの基本構成の一例を図７に示す。例えば、ＬＣＤのアレイ側基板は、その上の第１の方向（例えば、行方向）に形成された複数本のゲート信号線２５（GL1，GL2，GL3・・・GLn）と、第１の方向と交差する第２の方向（例えば、列方向）にゲート信号線２５と交差させて形成された複数本の画像信号線２６（SL1，SL2，SL3・・・SLm）と、ゲート信号線２５と画像信号線２６の交差部付近に形成された、TFT素子２１、画素電極PE11,PE12,PE13・・・PEnm及びその画素電極PE11,PE12,PE13・・・PEnmとの間で液晶に印加する横電界等の電界を形成するための共通電極（基準電極）を含む画素部P11，P12，P13・・・Pnmと、共通電極に共通電圧（Vcom）を供給する共通電圧線２２と、を有する構成である。また、共通電極と、その共通電極に共通電圧(Vcom)を供給する共通電圧線２２は、画素電極PE11,PE12,PE13・・・PEnmとの間で液晶に印加する垂直的な電界を形成する場合、カラーフィルタ側基板上に設けられている。なお、２３はゲート信号線駆動回路、２４は画像信号（ソース信号）線駆動回路、２７は表示部である。
【０００５】
ＩＰＳ方式のＬＣＤ、ＦＦＳ方式のＬＣＤ等の横電界を利用したＬＣＤは、上述したように、画素電極及び共通電極がアレイ側基板の画素部に共に接近して形成されているため、液晶表示パネル１１に加わった応力の影響を受けやすいものと考えられる。
【０００６】
また、他の従来例として、表示素子と保護板との間に表示素子の画面エリアに対応する領域を囲んで設けられ、かつ少なくとも一部に前記領域内と外部とを連通させる欠落部が形成されたスペーサを備える構成とすることによって、表示素子と保護板との接合強度を高くした保護板一体型表示パネルが提案されている（例えば、特許文献１参照）。
【先行技術文献】
【特許文献】
【０００７】
【特許文献１】特開２０１０−２６５３８号公報
【発明の概要】
【発明が解決しようとする課題】
【０００８】
図５、図６に示す上記従来のＬＣＤにおいては、小面積の接合部材１５，１６同士の間に隙間があるために、その隙間から空中を浮遊する粒子、塵埃等の細かな異物が入り込み、輝度ムラ、発光効率の低下等を生じやすいというという問題点があった。
【０００９】
また、特許文献１に開示された保護板一体型表示パネルは、表示素子と保護板との接合強度を高くするために、表示素子の画面エリアに対応する領域を囲んで、両面粘着フィルム等から成るスペーサを設けている。例えば、このような大面積のスペーサによって、バックライト装置と液晶表示パネルを接合すると、液晶表示パネルに加わる応力が増大するという問題点があった。
【００１０】
従って、本発明は、上記の問題点に鑑みて完成されたものであり、その目的は、バックライト装置と液晶表示パネルを小面積の接合部材によって接合して液晶表示パネルに加わる応力を小さくするとともに、接合部材同士の間の隙間から粒子、塵埃等の細かな異物が入り込むことを抑えて、輝度ムラ、発光効率の低下等が生じることを抑えることである。
【課題を解決するための手段】
【００１１】
本発明の液晶表示装置は、バックライト装置と、そのバックライト装置の発光側の面の周縁部に互いに間隔をあけて設けられた複数の接合部材と、複数の前記接合部材を介して前記バックライト装置に接合された液晶表示パネルと、を有しており、前記発光側の面の周縁部の前記接合部材同士の間の部位に前記接合部材の厚みよりも厚みが薄いスペーサがあり、前記スペーサの上面と前記液晶表示パネルの下面との間に隙間がある構成である。
【００１２】
本発明の液晶表示装置は、好ましくは、それが位置している前記周縁部の縁に直交する方向の幅が前記接合部材の幅よりも大きい。
【００１３】
また本発明の液晶表示装置は、バックライト装置と、そのバックライト装置の発光側の面の周縁部に互いに間隔をあけて設けられた複数の接合部材と、複数の前記接合部材を介して前記バックライト装置に接合された液晶表示パネルと、を有しており、前記発光側の面の周縁部の前記接合部材同士の間の部位に前記接合部材の厚みよりも厚みが薄いスペーサがあり、前記スペーサは前記液晶表示パネル側の表面が粗面とされている構成である。
【００１４】
また本発明の液晶表示装置は、バックライト装置と、そのバックライト装置の発光側の面の周縁部に互いに間隔をあけて設けられた複数の接合部材と、複数の前記接合部材を介して前記バックライト装置に接合された液晶表示パネルと、を有しており、前記発光側の面の周縁部の前記接合部材同士の間の部位に前記接合部材の厚みよりも厚みが薄いスペーサがあり、前記スペーサは前記液晶表示パネル側の表面が粘着性を有している構成である。
【００１５】
また本発明の液晶表示装置は、バックライト装置と、そのバックライト装置の発光側の面の周縁部に互いに間隔をあけて設けられた複数の接合部材と、複数の前記接合部材を介して前記バックライト装置に接合された液晶表示パネルと、を有しており、前記発光側の面の周縁部の前記接合部材同士の間の部位に前記接合部材の厚みよりも厚みが薄いスペーサがあり、前記スペーサは、それが位置している前記周縁部の縁に直交する方向の幅が前記接合部材の幅よりも大きい構成である。
【００１６】
また本発明の液晶表示装置は、バックライト装置と、そのバックライト装置の発光側の面の周縁部に互いに間隔をあけて設けられた複数の接合部材と、複数の前記接合部材を介して前記バックライト装置に接合された液晶表示パネルと、を有しており、前記発光側の面の周縁部の前記接合部材同士の間の部位に前記接合部材の厚みよりも厚みが薄いスペーサがあり、前記スペーサは、それが位置している前記周縁部の縁に平行な方向の長さが前記接合部材の長さよりも長い構成である。
【００１７】
また本発明の液晶表示装置は、バックライト装置と、そのバックライト装置の発光側の面の周縁部に互いに間隔をあけて設けられた複数の接合部材と、複数の前記接合部材を介して前記バックライト装置に接合された液晶表示パネルと、を有しており、前記発光側の面の周縁部の前記接合部材同士の間の部位に前記接合部材の厚みよりも厚みが薄いスペーサがあり、前記スペーサは透光性を有している構成である。
【発明の効果】
【００１８】
本発明の液晶表示装置は、バックライト装置と、そのバックライト装置の発光側の面の周縁部に互いに間隔をあけて設けられた複数の接合部材と、複数の接合部材を介してバックライト装置に接合された液晶表示パネルと、を有しており、発光側の面の周縁部の接合部材同士の間の部位に接合部材の厚みよりも厚みが薄いスペーサがあり、スペーサの上面と液晶表示パネルの下面との間に隙間があることから、接合部材同士の間の隙間から粒子、塵埃等の細かな異物が発光側の面に入り込むことを抑えることができる。その結果、液晶表示パネルに加わる応力を小さく維持しながら輝度ムラ、発光効率の低下等の発生を抑えることができる。
【００１９】
本発明の液晶表示装置は、好ましくは、それが位置している周縁部の縁に直交する方向の幅が接合部材の幅よりも大きいことから、発光側の面の奥行き方向における異物の侵入経路長に相当する、スペーサの液晶表示パネル側の表面の幅が増大する。その結果、前記表面において異物を捉える確率が高まり、異物が発光側の面に入り込むことをより有効に抑えることができる。
【００２０】
また本発明の液晶表示装置は、バックライト装置と、そのバックライト装置の発光側の面の周縁部に互いに間隔をあけて設けられた複数の接合部材と、複数の接合部材を介してバックライト装置に接合された液晶表示パネルと、を有しており、発光側の面の周縁部の接合部材同士の間の部位に接合部材の厚みよりも厚みが薄いスペーサがあり、スペーサは液晶表示パネル側の表面が粗面とされていることから、スペーサの凹凸を有する粗面において粒子、塵埃等の細かな異物を捉えて、異物が発光側の面に入り込むことをより有効に抑えることができる。
【００２１】
また本発明の液晶表示装置は、バックライト装置と、そのバックライト装置の発光側の面の周縁部に互いに間隔をあけて設けられた複数の接合部材と、複数の接合部材を介してバックライト装置に接合された液晶表示パネルと、を有しており、発光側の面の周縁部の接合部材同士の間の部位に接合部材の厚みよりも厚みが薄いスペーサがあり、スペーサは液晶表示パネル側の表面が粘着性を有していることから、スペーサの粘着性を有する表面において粒子、塵埃等の細かな異物を捉えて、異物が発光側の面に入り込むことをより有効に抑えることができる。
【００２２】
また本発明の液晶表示装置は、バックライト装置と、そのバックライト装置の発光側の面の周縁部に互いに間隔をあけて設けられた複数の接合部材と、複数の接合部材を介してバックライト装置に接合された液晶表示パネルと、を有しており、発光側の面の周縁部の接合部材同士の間の部位に接合部材の厚みよりも厚みが薄いスペーサがあり、スペーサは、それが位置している周縁部の縁に直交する方向の幅が接合部材の幅よりも大きいことから、発光側の面の奥行き方向における異物の侵入経路長に相当する、スペーサの液晶表示パネル側の表面の幅が増大する。その結果、前記表面において異物を捉える確率が高まり、異物が発光側の面に入り込むことをより有効に抑えることができる。
【００２３】
また本発明の液晶表示装置は、バックライト装置と、そのバックライト装置の発光側の面の周縁部に互いに間隔をあけて設けられた複数の接合部材と、複数の接合部材を介してバックライト装置に接合された液晶表示パネルと、を有しており、発光側の面の周縁部の接合部材同士の間の部位に接合部材の厚みよりも厚みが薄いスペーサがあり、スペーサは、それが位置している周縁部の縁に平行な方向の長さが接合部材の長さよりも長いことから、接合部材同士の間の隙間の断面積を小さくすることができる。すなわち、異物の侵入面積を小さくすることができる。その結果、異物が発光側の面に入り込むことをより有効に抑えることができる。
【００２４】
また本発明の液晶表示装置は、バックライト装置と、そのバックライト装置の発光側の面の周縁部に互いに間隔をあけて設けられた複数の接合部材と、複数の接合部材を介してバックライト装置に接合された液晶表示パネルと、を有しており、発光側の面の周縁部の接合部材同士の間の部位に接合部材の厚みよりも厚みが薄いスペーサがあり、スペーサは透光性を有していることから、スペーサによってバックライト装置の光を吸収することを抑えることができる。その結果、バックライト装置の発光効率を高く維持することができる。
【図面の簡単な説明】
【００２５】
【図１】図１は、本発明の液晶表示装置について実施の形態の１例を示す図であり、液晶表示装置の側面図である。
【図２】図２は、本発明の液晶表示装置について実施の形態の１例を示す図であり、バックライト装置の平面図である。
【図３】図３は、本発明の液晶表示装置について実施の形態の他例を示す図であり、バックライト装置の平面図である。
【図４】図４は、本発明の液晶表示装置について実施の形態の他例を示す図であり、バックライト装置の平面図である。
【図５】図５は、従来の液晶表示装置の１例を示す図であり、バックライト装置の発光側の面に液晶表示パネルを載置し接合することを説明するための分解斜視図である。
【図６】図６（ａ），（ｂ）は、それぞれ従来のバックライト装置の平面図である。
【図７】図７は、従来の液晶表示装置の基本構成のブロック回路図である。
【発明を実施するための形態】
【００２６】
以下、本発明のＬＣＤの実施の形態について、図面を参照しながら説明する。但し、以下で参照する各図は、本発明のＬＣＤの主要な構成部材等を示している。従って、本発明のＬＣＤは、図に示されていない回路基板、配線導体、制御ＩＣ，ＬＳＩ等の周知の構成部材を備えていてもよい。
【００２７】
図１は、本発明のＬＣＤについて実施の形態の１例を示す図であり、本発明のＬＣＤの側面図である。また図２は、本発明のＬＣＤについて実施の形態の１例を示す図であり、バックライト装置の平面図である。図１、図２に示すように、本発明のＬＣＤは、バックライト装置４と、そのバックライト装置４の発光側の面の周縁部に互いに間隔をあけて設けられた複数の接合部材５と、複数の接合部材５を介してバックライト装置４に接合された液晶表示パネルと、を有しており、発光側の面の周縁部の接合部材５同士の間の部位に接合部材５の厚みよりも厚みが薄いスペーサ７があり、スペーサの上面と液晶表示パネルの下面との間に隙間がある。この構成により、接合部材５同士の間の隙間Ｓから粒子、塵埃等の細かな異物が発光側の面に入り込むことを抑えることができる。その結果、液晶表示パネル１に加わる応力を小さく維持しながら輝度ムラ、発光効率の低下等の発生を抑えることができる。
【００２８】
本発明のＬＣＤにおいて、スペーサ７はバックライト装置４と別体のものであってもよく、またバックライト装置４と一体的に構成されたものであってもよい。なお、以下の実施の形態においては、スペーサ７がバックライト装置４と別体のものである例について説明する。
【００２９】
図１に示すように、本発明のＬＣＤのバックライト装置４は、ＬＥＤ（Light  Emitting  Diode）等から成る発光素子等を有する、直方体状、矩形板状の面状光源であるバックライト本体部２と、そのバックライト本体部２の外周部を覆うフレーム３と、を有している。フレーム３は、側壁の下端部にかしめ爪部３ｂを有しており、そのかしめ爪部３ｂをバックライト本体部２の側面に形成された凹部に折り込むことによって、バックライト本体部２に固定される。また、フレーム３は、上面の４つの隅部であって４つの角のそれぞれを成す２つの辺縁部に突起３ａが形成されている。これらの突起３ａに液晶表示パネル１の側面を当接させることによって、バックライト装置４の上面である発光側の面に液晶表示パネル１の下面、すなわちアレイ側基板のバックライト装置４側の面が接するようにして位置合わせし載置する。このとき、バックライト装置４の上面の周縁、すなわちフレーム３の上面の一部と、液晶表示パネル１の下面の周縁の一部とを、接合部材５によって接合している。図１において、Ｓは接合部材５同士の間の隙間である。スペーサ７の上面は液晶表示パネル１の下面に接合されていないので、僅かな隙間Ｓが存在している。
【００３０】
本発明のＬＣＤにおいて、フレーム３は、アルミニウム（Ａｌ），銅（Ｃｕ）等の金属、亜鉛（Ｚｎ）メッキ鋼材、ステンレススチール，真鍮（Ｃｕ−Ｚｎ合金）等の合金から成る。また、バックライト本体部２の撓み等の変形をある程度吸収するような若干の柔軟性を有するフレーム３の材料として、プラスチック等を用いてもよい。さらに、フレーム３の材料として、金属粒子，合金粒子，ガラス粒子，セラミック粒子，繊維等を混入させた強化プラスチック（ハイブリッドプラスチック）等を用いてもよい。このフレーム３の厚みは、0.05ｍｍ〜0.3ｍｍ程度である。
【００３１】
本発明のＬＣＤにおいて、接合部材５は、両面粘着テープ、両面粘着フィルム、接着剤によって両面が接着された樹脂フィルム、樹脂接着剤等から成り、その厚みは0.05ｍｍ〜0.2ｍｍ程度である。スペーサ７は、片面粘着テープ、片面粘着フィルム、両面粘着テープ、両面粘着フィルム、接着剤によって片面が接着された樹脂フィルム、樹脂硬化剤等から成り、その厚みは接合部材５の厚みの５０％乃至８０％程度であることが好ましい。５０％未満では、隙間Ｓから粒子、塵埃等の細かな異物が発光側の面に入り込むことを抑える効果が低下する傾向がある。８０％を超えると、バックライト装置４が撓んだ際に隙間Ｓに狭くなる部位が生じて、スペーサ７の一部が液晶表示パネル１の下面に当接し液晶表示パネル１に余計な応力が加わる傾向がある。
【００３２】
スペーサ７は、接合部材５よりも硬度が低い、すなわち接合部材５よりも柔らかいものであることが好ましい。この場合、バックライト装置４ａが撓んだ際に隙間Ｓに狭くなる部位が生じて、スペーサ７の一部が液晶表示パネル１の下面に当接したとしても、液晶表示パネル１に余計な応力が加わることを抑えることができる。
【００３３】
またスペーサ７は、バックライト装置４の発光側の面の周縁部に粘着材層によって接合されていることが好ましい。この場合、スペーサ７の一部が液晶表示パネル１の下面に当接したとしても、粘着材層が衝撃吸収部として機能し、液晶表示パネル１の表示品質が劣化することを抑えることができる。
【００３４】
また他の発明のＬＣＤにおいて、スペーサ７は、液晶表示パネル１側の表面が粗面とされている。この場合、スペーサ７の凹凸を有する粗面において粒子、塵埃等の細かな異物を捉えて、異物が発光側の面に入り込むことをより有効に抑えることができる。スペーサ７の液晶表示パネル１側の表面を粗面とするには、予め粗面化処理されたものを用いてもよく、あるいはエッチング処理によって粗面化する、樹脂，ガラス等から成る透明微粒子等を混入させた材料から成るものを用いる等の手段によって行うことができる。
【００３５】
またスペーサ７は、液晶表示パネル１側の表面に、発光側の面の縁に平行な方向に伸びる溝、スリット等の凹部が形成されていることが好ましい。この場合、凹部において粒子、塵埃等の細かな異物を捉えて、異物が発光側の面に入り込むことをより有効に抑えることができる。
【００３６】
また他の発明のＬＣＤにおいてスペーサ７は、液晶表示パネル１側の表面が粘着性を有している。この場合、スペーサ７の粘着性を有する表面において粒子、塵埃等の細かな異物を捉えて、異物が発光側の面に入り込むことをより有効に抑えることができる。この場合、スペーサ７として、両面粘着テープ、両面粘着フィルム等を用いることができる。
【００３７】
また他の発明のＬＣＤにおいてスペーサ７は、それが位置する発光側の面の周縁部の縁に直交する方向の幅が接合部材５の幅よりも大きい。この場合、発光側の面の奥行き方向における異物の侵入経路長に相当する、スペーサ７の液晶表示パネル１側の表面の幅が増大する。そのため、前記表面において異物を捉える確率が高まる。その結果、異物が発光側の面に入り込むことをより有効に抑えることができる。このような目的から、スペーサ７の上記幅は、フレーム３の発光側の面における幅とほぼ同じであることがより好ましい。
【００３８】
またスペーサ７は、それが位置する発光側の面の周縁部の縁に直交する方向、すなわち奥行き方向に向かうに伴って厚みが増大するように、表面が傾斜していることが好ましい。この場合、その傾斜面によって粒子、塵埃等の細かな異物を捉えることが容易になる。
【００３９】
また他の発明のＬＣＤにおいてスペーサ７は、それが位置する発光側の面の周縁部の縁に平行な方向の長さが接合部材５の長さよりも長い。この場合、接合部材５同士の間の隙間Ｓの断面積を小さくすることができる。すなわち、異物の侵入面積を小さくすることができる。その結果、異物が発光側の面に入り込むことをより有効に抑えることができる。また、図１、図２に示すように、フレーム３に突起３ａが形成されている場合、スペーサ７の端が突起３ａに達していることがよい。この場合、隙間Ｓの断面積をより小さくすることができる。
【００４０】
また他の発明のＬＣＤにおいてスペーサ７は、透光性を有している。この場合、スペーサ７によってバックライト装置の光を吸収することを抑えることができる。その結果、バックライト装置４ａの発光効率を高く維持することができる。このような目的から、スペーサ７は、白色、あるいは銀色等の光反射性を有するものであってもよい。
【００４１】
図３は、本発明のＬＣＤについて実施の形態の他例を示す図であり、バックライト装置４ｂの平面図である。このバックライト装置４ｂは、矩形状の発光側の面を有しており、フレーム３の上面の対向する２つの長辺部にそれぞれ接合部材６が設置されている。また、フレーム３の上面の対向する２つの短辺部にそれぞれスペーサ８が設置されている。図４は、本発明のＬＣＤについて実施の形態の他例を示す図であり、バックライト装置４ｃの平面図である。このバックライト装置４ｃは、矩形状の発光側の面を有しており、フレーム３の上面の対向する２つの長辺部にそれぞれ接合部材６が設置されている。また、フレーム３の上面の対向する２つの短辺部に、短辺部からその両側の長辺部に延設されたスペーサ９が設置されている。この場合、隙間Ｓを殆どなくすことができるので、好ましいものとなる。
【００４２】
本発明のバックライト装置４ａ〜４ｃには２つの方式がある。１つの方式は、ＬＥＤ（Light  Emitting  Diode）等の発光素子が液晶表示パネル１の画面の端に対応する位置に配置されているエッジライト方式である。このエッジライト方式のバックライト装置は、液晶表示パネル１の画面の端に対応する位置に配置された発光素子からの光を導光板によって画面全体に導いて均一に分散させる。エッジライト方式のバックライト装置は、最大６０インチ程度までの画面において良好な光学的均一性を保持することができ、５〜１０ｍｍ程度の厚さのバックライト装置が実現できる。
【００４３】
もう１つの方式は、直下型方式であり、液晶の画素部の直下に多数の発光素子を配置し、発光素子からの光を画素部に直接入射させる方式である。この直下型方式のバックライト装置は、それが適用される液晶表示パネル１の画面サイズに制限はなく、低消費電力、良好な熱放熱性を有している。また、直下型方式のバックライト装置は、エッジライト方式のものに比べて厚みが厚くなる傾向があるが、１０ｍｍ程度以下の厚みに抑えることもできる。なお、発光素子の駆動方法としては、一般にＰＷＭ（Pulse  Width  Modulation）方式によってパルス電流を発光素子に入力する駆動方法が用いられる。
【００４４】
本発明のＬＣＤは、薄膜トランジスタ（Thin  Film  Transistor  ：ＴＦＴ）素子を含む画素部が多数形成されたＴＦＴアレイ側基板と、カラーフィルタ及びブラックマトリクスが形成されたカラーフィルタ側基板とを互いに対向させて、それらの基板を所定の間隔でもって貼り合わせ、それらの基板間に液晶を充填、封入させることによって作製される。また、一般的に、カラーフィルタ側基板は、ＴＦＴ素子及び画素電極に対向する側の主面の全面に、画素電極との間で液晶に印加する垂直電界を形成するための共通電極が形成されている。また、ＩＰＳ（In-Plane  Switching）方式のＬＣＤ、ＦＦＳ（Fringe  Field  Switching）方式のＬＣＤ等の、画素電極との間で液晶に印加する横電界を形成するＬＣＤである場合、共通電極はカラーフィルタ側基板の画素電極の近傍に形成される。また、カラーフィルタ側基板の上記主面には、それぞれの画素に対応する赤（Ｒ）、緑（Ｇ）、青（Ｂ）のカラーフィルタが形成されており、それぞれの画素を通過する光が相互に干渉することを防ぐブラックマトリクスがカラーフィルタの外周を囲むように形成されている。
【００４５】
なお、本発明のＬＣＤは、上記実施の形態に限定されるものではなく、適宜の設計的な変更、改良を含んでいてもよい。
【産業上の利用可能性】
【００４６】
本発明のＬＣＤは各種の電子機器に適用できる。その電子機器としては、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、現金自動預け入れ払い機（ＡＴＭ）、自動販売機、ヘッドアップディスプレイ装置、医療用表示装置、デジタル表示式腕時計などがある。
【符号の説明】
【００４７】
１  液晶表示パネル
２  バックライト本体部
３  フレーム
４ａ，４ｂ，４ｃ  バックライト装置
５，６  接合部材
７，８，９  スペーサ
【図１】
0006483388.tif 000002
【図２】
0006483388.tif 000003
【図３】
0006483388.tif 000004
【図４】
0006483388.tif 000005
【図５】
0006483388.tif 000006
【図６】
0006483388.tif 000007
【図７】
0006483388.tif 000008